(57)【要約】【課題】壁面に対する固定力を高めることができるとともに、再剥離性に優れ、かつ、剥がしたときに壁面の外観を損ねることがない粘着テープの提供を目的とする。【解決手段】ステープル１が貫通可能な薄板状の基材２の表面に粘着剤３を積層して形成される粘着部４と、  該粘着部４と区画されて基材２表面の残余の領域に形成され、ステープル１が打ち込み可能な広さを備えたステープル打込部５とを有し、  ステープル打込部５へのステープル１の打ち込みにより基材２裏面側を固定可能で、かつ、粘着剤３により基材２表面側に貼り付け可能に構成する。【選択図】  図２
2006282769.tif 000002
【特許請求の範囲】
【請求項１】
ステープルが貫通可能な基材の表面に粘着剤を積層して形成される粘着部と、
該粘着部と区画されて基材表面の残余の領域に形成され、ステープルが打ち込み可能な広さを備えたステープル打込部とを有し、
ステープル打込部へのステープルの打ち込みにより基材裏面側を固定可能で、かつ、粘着剤により基材表面側に貼り付け可能な粘着テープ。
【請求項２】
前記粘着剤がステープルの肩部の厚さ寸法より高く基材表面に積層される請求項１記載の粘着テープ。
【請求項３】
前記粘着部は粘着剤の基材反対面を剥離紙で覆って形成され、
前記ステープル打込部は、合成樹脂材によりほぼ短冊状に形成される基材の両側縁に粘着部を間に挟んで辺縁に沿ってステープルを打ち込み可能に細幅帯状に形成される請求項１または２記載の粘着テープ。
【発明の詳細な説明】
【技術分野】
【０００１】
本発明は粘着テープに関するものである。
【背景技術】
【０００２】
従来、物品等を表裏面に固定可能な粘着テープとしては、特許文献１に記載されたものが知られている。この従来例において、粘着テープは、基材の表裏面に再剥離樹脂をコートした強粘着樹脂層と弱粘着樹脂層を塗布形成して形成される。
【特許文献１】特開２００５-４８１１１号公報
【発明の開示】
【発明が解決しようとする課題】
【０００３】
一般に、部屋の壁に対してポスターなどの軽量な物品を簡単に固定したい場合には、上記従来例のような両面粘着テープが多用されるが、ポスターを剥がすときに壁面に跡が残ったり壁紙を破いたりしないようにするために粘着層の再剥離性を高めてしまうと固定力が低くなってしまい、一方、粘着性を高めてしまうと、壁面から剥がす際には、跡が残ったりなどしないように注意を払って慎重に作業しなければならなくなる。
【０００４】
また、粘着剤によって比較的長期間に渡って壁面に固定すると、その粘着成分の作用によって壁面にしみや変色が生じてしまうという問題がある。
【０００５】
本発明は以上の欠点を解消すべくなされたものであって、壁面に対する固定力を高めることができるとともに、再剥離性に優れ、かつ、剥がしたときに壁面の外観を損ねることがない粘着テープの提供を目的とする。
【課題を解決するための手段】
【０００６】
本発明によれば上記目的は、
ステープル１が貫通可能な基材２の表面に粘着剤３を積層して形成される粘着部４と、
該粘着部４と区画されて基材２表面の残余の領域に形成され、ステープル１が打ち込み可能な広さを備えたステープル打込部５とを有し、
ステープル打込部５へのステープル１の打ち込みにより基材２裏面側を固定可能で、かつ、粘着剤３により基材２表面側に貼り付け可能な粘着テープを提供することにより達成される。
【０００７】
本発明において、ステープル１とは、ＪＩＳ（日本工業規格）においてステープラ用つづり針の１０号として規定されるものを意味し、具体的には、断面およそ０．３ｍｍ×０．５ｍｍ角の線材をコ字状に折曲して形成されるものを指す。
【０００８】
本発明によれば、粘着テープは、基材２の表面を区画して形成される粘着部４とステープル打込部５とを有し、ステープル打込部５へのステープル１の打ち込みにより基材２裏面側を固定可能で、粘着部４の粘着剤３により基材２表面側に貼り付け可能に形成される。したがって、部屋の壁に対してはステープル１を打ち込むことにより裏面側を強い固定力で簡単に固定することが可能であり、この後、粘着部４を利用して、ポスター等を表面側に簡単に貼り付けることができる。また、壁面から剥がす際にはステープル１を壁面から引き抜くだけでよく、壁面には注視すれば見付けることができる程度の微小な針穴が残るだけであるためにその外観を損ねることはない。
【０００９】
本発明において粘着テープの一方の面の固定に利用されるステープル１は、文具として一般に広く普及しており、その操作もハンドルを押し込むだけと極めて簡単であるために、壁面への固定に手間取ることはない。ステープル１による粘着テープの壁面への固定は、ステープラのハンドルとクリンチャアームをほぼ１８０度に開いた後、ハンドル裏面側のステープル１突出部分により粘着テープを壁面に押し付けるようにハンドルを表面側から押圧すればよく、ステープル１が打ち込み可能なやや軟質の壁材、例えば石膏ボード等であればステープル１の打ち込みによって簡単かつ強固に粘着テープを固定することができる。
【００１０】
粘着テープの基材２はステープル１が貫通可能な程度のテープ状のやや軟質な合成樹脂材や紙、布などにより、粘着部４は上記従来例におけるように基材２に粘着剤３を塗布などにより積層することによって形成することが可能であり、ステープル打込部５は、基材２表面に粘着剤３を塗布しない領域をつくることにより、すなわち、粘着剤３を塗布せずに基材２表面が露出する領域を設けることにより形成することが可能である。このように粘着部４とステープル打込部５を基材２表面を区画して形成することにより、粘着性に邪魔されることなくステープル１を打ち込みやすくすることができ、また、ステープル打込部５を粘着部４と視覚上明確に区別可能にすることができる。
【００１１】
また、粘着部４とステープル打込部５を基材２表面に区切って形成することにより、粘着剤３の基材２表面からの突出高さをステープル１の肩部１ａの厚さ寸法より高くすれば、基材２に打ち込まれたステープル１が上述したポスター等の壁面への被固定物に干渉することを防止でき、粘着部４による固定力を高めることができる。また、壁面への被固定物がポスターなど可塑性のあるものであっても、ステープル１との干渉が防止されることで、粘着させる際の押圧力によってその表面にステープル１の肩部１ａが凸状に写し出されてしまうようなことはない。
【００１２】
基材２は、上述したように紙や布などにより形成することも可能であるが、適宜の剛性を備える合成樹脂材により形成すれば、複数本のステープル１、１・・を打ち込むことにより加重負担を分散させることができ、上述した石膏ボードのような壁材であっても壁側の支持荷重を容易に高めることが可能である。このように複数本のステープル１、１・・を打ち込み可能に形成する場合には、粘着部４を間に挟んで基材２の両側縁に細幅帯状のステープル打込部５を形成すれば、基材２の辺縁に沿ってステープル１を打ち込ませるようにすることにより基材２の表面を有効活用してステープル１による固定性、および粘着部４による粘着性を容易に高めることができる。
【００１３】
また、持ち運び等をしやすくするために粘着部４は、剥離紙６で表面を覆うことが望ましい。剥離紙６は、紙に限らず合成樹脂のフィルムなど使用時に容易に剥がせる適宜の材料が使用可能である。
【発明の効果】
【００１４】
以上の説明から明らかなように、本発明によれば、壁面に対する固定力を高めることができるとともに、再剥離性に優れ、かつ、剥がしたときに壁面の外観を損ねることがない粘着テープを提供することができるために、壁面の利用価値を高めることができる。
【発明を実施するための最良の形態】
【００１５】
図１および図２に本発明の実施の形態を示す。この実施の形態において、粘着テープ１１は、図１（ａ）に示すように、粘着部４とステープル打込部５とを有し、剛性が比較的高いＰＥＴ（ポリエチレンテレフタレート）を短冊状にして形成される基材２の表面に粘着剤３を塗布して形成される。基材２は、背面側を透かして見える無色透明あるいは見ばえ等を考慮して有色のものでも良く、脚部１ｂの長さが５ミリにも満たないステープル１が深く貫通できるように例えば０．３ミリ程度の厚さに形成され、また、ポスターや額縁、時計などのほか、温度計などの壁面１２への被固定物１３を壁面１２に固定する際にその背後に容易に隠れるように、例えば４０ミリ程度の幅寸法に形成される。
【００１６】
粘着部４は、例えばアクリル系等の適宜の樹脂からなる粘着剤３を基材２の表面に塗布して形成され、形成される層状の粘着剤３の基材２反対面、すなわち表面側には、図１（ｂ）に示すように、使用時に容易に剥離可能なフィルム状の樹脂などからなる離型紙（剥離紙６）が貼り付けられる。粘着剤３や離型紙６は基材２やそれぞれと識別できるようにそれぞれに適宜の有色の色彩が付され、層状の粘着剤３は、図２（ｂ）に示すように、０．３ミリ程度であるステープル１の肩部１ａの厚さ寸法Ｌ１よりも高くなるように基材２表面に０．５ミリ程度の高さ寸法Ｌ２で積層される。この層状の粘着剤３は短冊状の基材２の中央部にその長手方向に沿って帯状に形成され、両側方にはステープル打込部５が配置される。
【００１７】
ステープル打込部５は、粘着剤３が塗布されない基材２表面の露出領域により形成され、基材２の長手方向に沿ってステープル１を打ち込み可能に、すなわちステープル１の肩部１ａを基材２の長手方向に沿わせて打ち込みやすいように７ミリ程度の幅寸法を備えて細幅帯状に形成される。
【００１８】
したがって、例えば図２に示すように石膏ボードからなる壁面１２に時計１３を固定する際には、鋏などによって粘着部４による耐荷重能力を満たす程度の適宜長さの個片１１ａに切断した後、先ず、壁面１２に基材２の裏面を合わせるようにして位置決めをし、次いで、ステープル打込部５にステープル１を打ち込むことにより壁面１２に固定する。このとき、ステープル１は、上述したように薄い基材２を貫通して壁面１２に深く突き刺さり、肩部１ａと壁面１２との間で基材２を強固に挟持するとともに、脚部１ｂによってしっかりと垂直荷重を支持する。また、図２に示すように個片１１ａを横向きにして粘着部４の上下に配置されるステープル打込部５にそれぞれステープル１を打ち込むようにすれば、基材２の剛性により複数本のステープル１、１・・の脚部１ｂ、１ｂ・・に荷重をそれぞれ分散して支持させることができ、ステープル１の脚部１ｂ毎にかかる支持荷重、これを支持する壁面１２の対応部位毎にかかる支持荷重をそれぞれ軽減してステープル１の壁面１２からの脱抜や、ステープル１の脚部１ｂあるいは壁面１２の対応部位の変形を防止することができ、より重い時計を安定して支えることが可能となる。
【００１９】
時計１３の壁面１２への固定は、この後、図２（ａ）に示すように離型紙６を剥がし、露出された層状の粘着剤３の表面に図２（ｂ）に示すように時計１３の裏面を貼り付けることにより完了する。上述したようにステープル１の肩部１ａの厚さ寸法Ｌ１より基材２表面からの突出寸法Ｌ２が大きい層状の粘着剤３は、時計の貼り付け状態においてステープル１の肩部１ａと時計裏面との接触を防ぐために、貼り付け時におけるステープル１と時計１３の衝接に起因する粘着不良を惹起することはない。
【００２０】
また、時計１３を壁面１２から取り外す際には、まずステープル１の壁面１２への固定強度より粘着剤３の粘着強度の方が強いので粘着テープ１１ごと時計１３を壁面１２から水平に引き抜けばよく、その後、ヘラ等を適宜利用して粘着剤３の粘着力に抗して時計１３を基材２から引き剥がす。基材２を取り外した後、壁面１２にはステープル１の脚部１ｂによって形成された穴が残ることになるが、極めて微小であるために視認が困難であり、壁面１２の外観を損ねることはない。
【００２１】
なお、以上の実施の形態においては、各ステープル打込部５にそれぞれ単一のステープル１を打ち込む場合を示したが、時計などの被固定物１３の重量に応じて一方のステープル打込部５にのみステープル１を打ち込むようにしたり、あるいはステープル打込部５に複数本のステープル１、１・・を打ち込むようにしたりすることも可能である。また、単一の被固定物１３の荷重を複数の個片１１ａ、１１ａ・・によって支持するようにしてもよい。さらに、従来例に示すように粘着剤３に再剥離樹脂をコートしてポスター等に対する再剥離性を高めることも可能である。加えて、基材２をＰＶＣ（ポリ塩化ビニル）で製造した場合には、その柔軟性により凹凸のある壁面１２での固定時の安定性を高めることが可能であり、また、ステープル１に軟鉄製ではなくステンレス製のものを使用すれば、より耐荷重能力を高めることができる。
【００２２】
図３に本発明の他の実施の形態を示す。なお、この実施の形態において上述した実施の形態と同一の構成要素は図中に同一の符号を付して説明を省略する。図３（ａ）に示すように、この実施の形態において、基材２の表面にはその長手方向に沿って幅方向に三条３Ａ、３Ｂ、３Ｂに分かれてそれぞれ細幅帯状に粘着剤３が塗布され、ステープル打込部５は粘着剤３の条３Ａ、３Ｂの間に細幅帯状に二筋が形成される。
【００２３】
中央に配置される粘着剤３の条３Ａは、接着バランスを考慮して他の条３Ｂ、３Ｂよりもやや幅広に形成され、全ての層状の粘着剤３の表面を覆うように基材２の全表面に被さるようにして適宜の有色透明の色彩が付された離型紙６が貼り付けられる。この離型紙６は、一軸延伸フィルム、あるいはこのフィルムに適宜の樹脂ラミネート加工をすることなどにより形成され、基材２の長手方向に沿って裂けやすくされる。また、この実施の形態において、基材２の裏面には、合成樹脂材を発泡させて形成される多数の微細な独立気泡を備えた吸着性の高いシート材１４が接着固定される。
【００２４】
したがって、透明の離型紙６の上からステープル打込部５へと壁面１２に対して縦向きにステープル１を打ち込むと、離型紙６およびシート材１４の厚み分だけステープル１の壁面１２への打ち込み深さは浅くなるものの、このステープル１の打ち込みによって壁面１２に強く密着するシート材１４の吸着効果により、基材２が壁面１２により強固に固定される。次いで、図３（ｂ）に示すように、縦向きにされた個片１１ａから離型紙６を縦方向に引き剥がすと、離型紙６が打ち込まれたステープル１によって裂け、一軸延伸フィルムの性状によりステープル打込部５上に裂け目を伸ばすようにして粘着剤３表面から剥がれる。この後、離型紙６の裂け跡６ａが被さることなく露出した粘着剤３により図外の時計１３を貼り付けることによって固定作業が完了する。
【００２５】
なお、以上の他の実施の形態において壁面１２への固定力が確保できるときはシート材１４を省略することも可能で、また、シート材１４を利用して上述した実施の形態において固定力を高めるように構成することも可能であり、シート材１４は摩擦力を発揮するような材質のものでも良い。さらに、以上の実施の形態においては、粘着剤３の基材２表面からの突出高さをステープル１の肩部１ａの厚さより高くしてステープル１と被固定物１３との干渉を防止する場合を示したが、少なくともこれらの寸法を同じにすれば、ステープル１が粘着の支障になることはない。
【図面の簡単な説明】
【００２６】
【図１】本発明を示す図で、（ａ）は斜視図、（ｂ）は要部拡大断面図である。
【図２】壁面１２への固定状態を示す図で、（ａ）は斜視図、（ｂ）は要部拡大断面図である。
【図３】本発明の他の実施の形態を示す図で、（ａ）は斜視図、（ｂ）は壁面１２への固定状態において離型紙６を剥がす際の状態を説明する図である。
【符号の説明】
【００２７】
１    ステープル
１ａ  肩部
２    基材
３    粘着剤
４    粘着部
５    ステープル打込部
６    剥離紙
【図１】
2006282769.tif 000003
【図２】
2006282769.tif 000004
【図３】
2006282769.tif 000005